(57)【要約】【課題】開封した時から取り付けられたＩＣタグが通信を開始し、これにより開封時刻や開封後の経過時間を知ることのできる包装体を提供する。【解決手段】ＩＣタグ３が開封部２の内面に設けられた包装箱１と、包装箱に収納された収納物４と、金属箔５１を貼合した紙５２を、金属箔を外側にして筒状に巻いた緩衝材５とからなり、緩衝材が収納物と開封部の間に置かれ、緩衝材の金属箔面側が、開封部の内面に設けられたＩＣタグに接触あるいは近接している。【選択図】図１
2015101380.tif 000002
【特許請求の範囲】
【請求項１】
ＩＣタグが開封部の内面に設けられた包装箱と、該包装箱に収納された収納物と、金属箔を貼合した紙を、該金属箔を外側にして筒状に巻いた緩衝材とからなり、該緩衝材が前記収納物と前記開封部の間に置かれ、前記緩衝材の金属箔面側が、前記開封部の内面に設けられた前記ＩＣタグに接触あるいは近接していることを特徴とする包装体。
【請求項２】
前記包装箱の開封部が対向する１対の内側フラップと、他の対向する1対の外側フラップからなり、前記ＩＣタグが前記内側フラップの内面に設けられていることを特徴とする請求項１に記載の包装体。
【請求項３】
前記金属箔がアルミニウム箔であることを特徴とする請求項１または２に記載の包装体。
【発明の詳細な説明】
【技術分野】
【０００１】
本発明は、包装体に関するものである。特に、ＩＣタグを備え、開封したことを検知できるようにした包装体に関するものである。
【背景技術】
【０００２】
近年、ＩＣチップの集積回路化により小型化が進み、ＩＣチップとアンテナを組み合わせ小片としたＩＣタグが商品に取り付けられるようになった。そしてＩＣタグにより、その商品の管理や、あるいは偽造防止、いたずら防止などに利用されるようになってきた。また、工場においてもトレーサビリティの観点から、製品や中間製品、それに用いる部品、原材料の履歴を確認するのに用いられるようになり始めた。
【０００３】
例えば、いたずら防止としては、包装体が開封されるとＩＣタグのアンテナが切断されるように、商品に取り付けられているものがある（特許文献１）。
【０００４】
この場合、梱包された状態で運送され、もし運搬の途中で不正に開梱されてしまったとき、開梱によりアンテナが切断され、通信不能となったり、通信距離が半分以下になったりするので、運送後に開梱されたことを確認できる。
【０００５】
一方、未開封の商品などが、開封された場所や時間を記録することが必要な場合がある。例えば、酸化により性能が大きく影響される物品では、開封され大気中に晒されて酸化が開始された後の酸化が進んだ時間を管理する必要がある。また、放射線などの人体に悪影響を与える物品の開封された時間なども管理する必要がある。
【０００６】
特に工場などで製品を製造する上で、原材料の使用を管理する場合、未開封の原材料の包装体ではＩＣチップが通信を開始せず、原材料の包装体を開封したときからの時間や開封した場所を管理するために、開封した時からＩＣチップが通信を開始することが求められる。
【０００７】
一方、別の周波数帯を通信可能な少なくとも２つのアンテナを有するＲＦＩＤタグを備え、アンテナの１つが容器の開封とともに通信不能に切断され、開梱されたことが確認できる構成とした包装容器がある（特許文献２）。
【０００８】
そして、切断されずに残されたアンテナで商品管理ができることから、上記の要求を満たせる可能性はある。しかし、このＲＦＩＤタグの場合、アンテナを２つ設ける必要があり、また、開封することによって一方が通信不能になるが、他方は通信が不能にならない必要があるなど、構造が複雑で、サイズも大きくなり、コスト的にも使用が限定される。
【０００９】
公知文献を以下に示す。
【先行技術文献】
【特許文献】
【００１０】
【特許文献１】特開２００９−１０４２６２号公報
【特許文献２】特許第４５１０１３３号公報
【発明の概要】
【発明が解決しようとする課題】
【００１１】
本発明は上記のような事情に鑑みてなされたもので、開封した時から取り付けられたＩ
Ｃタグが通信を開始し、これにより開封時刻や開封後の経過時間を知ることのできる包装体を提供することを課題としている。
【課題を解決するための手段】
【００１２】
本発明は係る課題に鑑みなされたものであり、請求項１の発明は、ＩＣタグが開封部の内面に設けられた包装箱と、該包装箱に収納された収納物と、金属箔を貼合した紙を、該金属箔を外側にして筒状に巻いた緩衝材とからなり、該緩衝材が前記収納物と前記開封部の間に置かれ、前記緩衝材の金属箔面側が、前記開封部の内面に設けられた前記ＩＣタグに接触あるいは近接していることを特徴とする包装体である。
【００１３】
本発明の請求項２の発明は、前記包装箱の開封部が対向する１対の内側フラップと、他の対向する1対の外側フラップからなり、前記ＩＣタグが前記内側フラップの内面に設けられていることを特徴とする請求項１に記載の包装体である。
【００１４】
本発明の請求項３の発明は、前記金属箔がアルミニウム箔であることを特徴とする請求項１または２に記載の包装体である。
【発明の効果】
【００１５】
本発明の包装体は、開封した時からＩＣタグが通信を開始できる。また、これにより開封時刻や開封後の経過時間を知ることができる。
【図面の簡単な説明】
【００１６】
【図１】本発明の包装体の一例を模式的に断面で示した説明図である。
【図２】本発明の包装体の一例を模式的に斜視で示した説明図である。
【図３】本発明の包装体の一例に用いる包装箱の展開図である。
【図４】本発明の包装体の一例を開封した状態を模式的に断面で示した説明図である。
【発明を実施するための形態】
【００１７】
以下、本発明を実施するための形態につき説明する。
図１は、本発明の包装体の一例を模式的に断面で示した説明図である。図２は、本発明の包装体の一例を模式的に斜視で示した説明図である。図３は、本発明の包装体の一例に用いる包装箱の展開図である。
【００１８】
本例の包装体１００は、図１の断面図に示すように、包装箱１の開封部２の内面にＩＣタグ３が設けられている。そして、包装箱１の中に収納物４が収納され、収納物４の上に緩衝材５が置かれて、収納物４と開封部２の間に、緩衝材５が来るように包装されている。
【００１９】
緩衝材５は金属箔５１を貼合した紙５２からなり、金属箔５１を外側にして筒状に巻かれ、この緩衝材５の外側の金属箔５１側が開封部２の内面に設けられたＩＣタグ３に接触あるいは近接している。
【００２０】
包装箱１は、図２の斜視図、図３の展開図のように、前後の前側面板１１と後側面板１２と、側面の右側面板１３と左側面板１４の４枚の側面板が連接して設けられ、一方の端部に連設された貼着板１５を貼着することで、四角柱状の筒状になっている。
【００２１】
そして、右側面板１３と左側面板１４の上端にそれぞれ内側フラップ１６が設けられ、対向して対をなし、前側面板１１と後側面板１２の上端にそれぞれ外側フラップ１７が設けられ、対向して対をなしている。
【００２２】
そして、内側フラップ１６を内方に倒して、続いて外側フラップ１７を内方に倒して、封をする。この内側フラップ１６と外側フラップ１７により、開封部２を形成している。そして、ＩＣタグは、１対の内側フラップ１６のいずれかの内面に設けられている。
【００２３】
内側に倒した２つの外側フラップ１７は、その先端部の端面が互いに接するように、なっている。また、２つの内側フラップ１６も、その先端部の端面が互いに接するように、なっている。これにより、包装箱１がしっかり固定され形状が安定する。また、内側フラップ１６に設けたＩＣタグ３が緩衝材５に接するように配置することができる。
【００２４】
また、４枚の側面板の下端も同様な形状になっていて、１対の底部内側フラップ１８と１対の底部外側フラップ１９が設けられ、底部内側フラップ１８を内方に倒し、底部外側フラップ１９も内側に倒して底部を形成している。
【００２５】
ＩＣタグ３は、詳細を図示しないが、一般的なものであり、ベース基材上に１つのアンテナとＩＣチップが電気的に接続されて設けられたインレットを有している。そして、リーダライタから発射される電波を受信し、微量な電力を発生させ、その電力で情報処理を行い、電波を送信するものである。
【００２６】
ＩＣタグの使用する周波数帯は、ＬＦ、ＨＦ、ＵＨＦなど全周波数帯が、包装体の使用される用途によって使い分けられる。そして、リーダライタはこの電波を読み取ってＩＣタグ３の情報を得る。
【００２７】
緩衝材５は、金属箔５１を貼合した紙５２からなっていて、金属箔５１を外側にして筒状に巻いた筒状に巻いて、紙５２の弾性を利用して緩衝効果を持たせている。そのため、金属箔５１と貼合する紙５２は、弾性のある板紙や段ボールを用いることが好ましい。
【００２８】
このとき金属箔５１の面を外側にして筒状にする。金属箔５１としては、アルミニウム箔が好ましく用いることが出来る。また、鉄箔やステンレス箔、錫箔などを用いることが出来る。
【００２９】
緩衝材５の金属箔５１面側が、開封部２の内側フラップ１６の内面に設けたＩＣタグ３に接触あるいは近接している。このような金属箔５１にＩＣタグ３が接触あるいは近接していると、リーダライタからの電波の受信性能が著しく低下し、電力が発生せずＩＣチップの情報処理が行われない。
【００３０】
本発明の包装体では、これを利用し、原材料などの包装に当たって包装箱の開封部の内面にＩＣタグを設けておき、緩衝材の金属箔の面がＩＣチップに接触あるいは近接するように配置する。このように包装された状態ではＩＣタグが働かず、ＩＣタグはリーダライタからの電波を受信しない。
【００３１】
図４は、本発明の包装体の一例を開封した状態を模式的に断面で示した説明図である。
【００３２】
包装体１００が開封され、図４のように、開封部２が開いて内側フラップ１６の内面に設けたＩＣタグ３と緩衝材５の金属箔５１が離れると、初めてリーダライタからの電波を受信してＩＣタグ３が通信を開始するようになる。
【００３３】
本発明の包装体１００の使い方としては、工場で製品を製造する上で、原材料などの包装体として用いることが出来る。工場に納入された包装体１００を必要に応じて、開封して原材料を使用する。
【００３４】
この開封によって、包装体１００のＩＣタグ３は、リーダライタからの電波を受信できるようになる。そして、ＩＣタグ３は、受信した電波により電力が発生して、情報処理が行われ、リーダライタに電波を発信させる。
【００３５】
このとき、リーダライタ側の管理コンピュータの持つ日時の情報から開封した日時が特定される。また、複数のリーダライタが、ＩＣタグ３からの送信を受けたり、受けなかったりすることから、そのＩＣタグ３の存在位置の範囲を特定することができる。
【００３６】
これらの情報は、リーダライタと有線であるいは無線で接続された管理コンピュータに保存される。また、これらの情報を、包装体１００のＩＣタグ３のＩＣチップに保存しても良い。ＩＣチップに保存すれば管理コンピュータに接続されていないリーダライタでもこの情報を読み取ることができる。
【００３７】
以上のように、本発明の包装体は、開封した時からＩＣタグが通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【符号の説明】
【００３８】
１００・・・包装体
１・・・包装箱
２・・・開封部
３・・・ＩＣタグ
４・・・収納物
５・・・緩衝材
１１・・・前側面板
１２・・・後側面板１２
１３・・・右側面板１３
１４・・・左側面板
１５・・・貼着板
１６・・・内側フラップ
１７・・・外側フラップ
１８・・・底部内側フラップ
１９・・・底部外側フラップ
【図１】
2015101380.tif 000003
【図２】
2015101380.tif 000004
【図３】
2015101380.tif 000005
【図４】
2015101380.tif 000006